(57)【特許請求の範囲】
【請求項１】
機械本体は、箱体の側部にパネルを連通状態で取り付けた形状とし、該パネルにこれと共に室内を区分けするためのエアーカーテンを形成する吹出口を設け、前記箱体上部にエアーカーテンにより区分けした一方の空間に位置させた吸引口を設けると共に他方の空間に位置させた排気口を前記パネルに設け、前記箱体内に送風機及び空気清浄機を設け且つ前記送風機の下流側に乱流減衰用の空気溜めを設けてなり、前記吸引口を内側にして前記室内の一部を囲う形に１以上の前記機械本体を配置し、前記空気溜めにて前記送風機による乱流を減衰して前記吹出口から均一なエアーカーテンを形成すると共に、前記排気口からの清浄エアー排気量を少なくとも前記他方の空間からの外部巻込エアー量よりも大となるように設定し、前記吸引口側の空間内を負圧状態にすると共に喫煙空間とし且つ該喫煙空間内の前記箱体周辺を漂う煙草の煙を前記吸引口から直接吸引できるようにしたことを特徴とする気流制御型分煙機。
【請求項２】
前記パネルは前記箱体から取り外し自在であることを特徴とする請求項１記載の気流制御型分煙機。
【請求項３】
前記パネルは分割可能であることを特徴とする請求項１又は２記載の気流制御型分煙機。
【請求項４】
前記パネルの上部及び側部に前記吹出口を設けてなることを特徴とする請求項１、２又は３記載の気流制御型分煙機。
【請求項５】
前記送風機及び空気清浄機の下流側と前記排気口及び前記吹出口との間の前記箱体内に空気溜めを設け、該空気溜めの下流部にて前記排気口と前記吹出口とに清浄エアーを予め定めた比率で振り分けてなることを特徴とする請求項１、２、３又は４記載の気流制御型分煙機。
【請求項６】
前記空気溜めと前記排気口及び前記吹出口との間に整流板を設けたことを特徴とする請求項５記載の気流制御型分煙機。
【請求項７】
前記整流板は脱臭フィルターであることを特徴とする請求項６記載の気流制御型分煙機。
【請求項８】
前記空気溜め内にマイナスイオン発生機を着脱自在に設けてなることを特徴とする請求項５、６又は７記載の気流制御型分煙機。
【請求項９】
前記吹出口にエアーカーテンのリード板を設けたことを特徴とする請求項１〜８の内から選択される１項に記載の気流制御型分煙機。
【請求項１０】
前記リード板は透明であることを特徴とする請求項９記載の気流制御型分煙機。
【請求項１１】
前記機械本体の吸引口の上方に遮蔽板を設けたことを特徴とする請求項１〜１０の内から選択される１項に記載の気流制御型分煙機。
【請求項１２】
前記機械本体の吸引口上に竜巻式吸引装置を着脱自在に設けてなり、該竜巻式吸引装置は、筒体の側壁に切欠口を設けると共に、筒体の長手方向端部の少なくとも一方に吸引孔を設け、該吸引孔を前記送風機のサクション側に接続してなることを特徴とする請求項１〜１１の内から選択される１項に記載の気流制御型分煙機。
【請求項１３】
前記機械本体は移動自在であることを特徴とする請求項１〜１２の内から選択される１項に記載の気流制御型分煙機。
【請求項１４】
前記吹出口は形成するエアーカーテンの方向を可変としたことを特徴とする請求項１〜１３の内から選択される１項に記載の気流制御型分煙機。
【発明の詳細な説明】
【０００１】
【発明の属する技術分野】
本発明は、建築物、航空機、車両等の室内の一角をエアーカーテンにより自由自在に仕切り、その一角を喫煙空間にして煙を喫煙空間外に直接出さないようにし、かつ喫煙空間内では煙を直ちに吸引して、他の喫煙者に煙がかからないようにした気流制御型分煙機に関する。
【０００２】
【従来の技術】
従来、室内の一角を仕切ってその場所を喫煙コーナーや喫茶室にする方法として、つい立てを使用する場合が多い。このつい立てはあくまで間仕切りが目的であるから、上部空間からエアーが流出入するから内部あるいは外部の汚染されたエアー（煙草の煙、排気ガス、有害ガス）流出入する弊害が生じる。
【０００３】
そこで、この弊害を防止するため、図１４に示すようなエアーカーテン発生装置を内蔵したつい立てがある。このつい立てａは、送風機ｂを内蔵し上部にエアーカーテンを形成する吹出口ｃを設置し、更に側面に吸引口ｄを設置してなる。このつい立てａにて吸引口ｄを内側にして室内の一角を囲う。更に、このつい立てａの設置場所上方の天井ｅに吸引ファンｆを設置している。送風機ｂを作動させて吹出口ｃからエアーを吹き出しエアーカーテンｇを形成して、床ｈ、天井ｅ、つい立てａ等と相まって喫煙空間ｉをつくり、この喫煙空間ｉ内のエアーを天井ｅの吸引ファンｆにて外部に排出して喫煙空間ｉ内を負圧にして、室内の他の空間に汚染エアーを流出しないようにしている。
【０００４】
また、図１５に示すような喫煙ユニット（実開平７−３５９２７号公報参照）がある。この喫煙ユニットは、天井部ｊの周囲に吹出口ｃがあり天井部ｊの中央部に吸引口ｄがあって、吹出口ｃからのエアーカーテンｇにより床ｈ、天井部ｊと相まって喫煙空間ｉをつくり、この喫煙空間ｉ内のエアーを天井部ｊの吸引口ｄにて吸引排出して喫煙空間ｉ内を一時的に負圧にして、室内の他の空間に煙や悪臭を流出しないようにし、天井部ｊ内にある空気清浄機により清浄エアーとして再び吹出口ｃから吹き出し、循環させているものである。
【０００５】
また、図１６に示すような喫煙カウンターｋは、部屋の隅に配置され、カウンター本体ｌの側面に排気口ｍを設けると共に上面に吸引口ｎを設け、該吸引口ｎの上方に遮蔽板ｏを支柱ｐにより支持して設け、吸引口ｎと排気口ｍとの間の喫煙カウンターｋ内に空気清浄機を設けたものである。この喫煙カウンターｋの周辺で人が煙草を吸うと、煙は周辺のエアーと共に遮蔽板ｏにガイドされ吸引口ｎからカウンター本体ｌ内に入り、空気清浄機により清浄化されて排気口ｍから外部に排気される。
【０００６】
【発明が解決しようとする課題】
しかしながら、上述の図１４に示す例では、室内の一角をつい立てａにて仕切って、直ぐにその場所を喫煙コーナーや喫茶室にすることは出来ても、簡易的に作りずらく、喫煙者と言えども他人の煙は出来れば避けたいという願望を満たすことは出来ない。
【０００７】
また、図１５の喫煙ユニットは、大がかりなものであるから、容易に移動出来ず、簡易的に喫煙コーナーを室内の一角に作るというようなことは不可能であり、予め大きさが決まっているから、広いスペースを臨時の喫煙コーナーにするということも出来ない。また、天井部ｊを支持する支柱ｋが必要となり、更に、天井ｅに吊るすようなタイプにしても、一部空間ｉ内を一時的に負圧状態にすることが出来ても、中央部にある吸引口ｄから吸い込んだエアーは、その全量を再び吹出口ｃからのエアーカーテンｇとするから、結局は喫煙空間ｉ内を恒常的に負圧状態にすることが出来ない。従って、室内の他の空間に煙が流出してしまい良好な喫煙空間ｉとなりずらい。喫煙者と言えども他人の煙は出来れば避けたいという願望も満たすことが出来ない。
【０００８】
更に、図１６に示すような喫煙カウンターｋは、室内の隅に配置すれば簡単に喫煙コーナーとなり、喫煙者と言えども他人の煙は出来れば避けたいという願望を満たすことが出来都合がよい。しかし、喫煙カウンターｋから少し離れると、煙を吸引出来ず、喫煙コーナーから煙が漏れ易く、非喫煙者に迷惑が及ぶこともある。
【０００９】
そこで、本発明は、上記事情に鑑みてなされたもので、室内の一角を容易に喫煙空間に出来、煙をその喫煙空間内から流出させず、清浄化してから室内に戻し循環させ、喫煙空間内では煙を直ちに吸引して、他の喫煙者等に煙がかからないように出来る気流制御型分煙機を提供することを課題とする。
【００１０】
【課題を解決するための手段】
上記課題を解決するため、請求項１記載の発明は、箱体の側部にパネルを連通状態で取り付けた形状とし、該パネルにこれと共に室内を区分けするためのエアーカーテンを形成する吹出口を設け、前記箱体上部にエアーカーテンにより区分けした一方の空間に位置させた吸引口を設けると共に他方の空間に位置させた排気口を前記パネルに設け、前記箱体内に送風機及び空気清浄機を設け且つ前記送風機の下流側に乱流減衰用の空気溜めを設けてなり、前記吸引口を内側にして前記室内の一部を囲う形に１以上の前記機械本体を配置し、前記空気溜めにて前記送風機による乱流を減衰して前記吹出口から均一なエアーカーテンを形成すると共に、前記排気口からの清浄エアー排気量を少なくとも前記他方の空間からの外部巻込エアー量よりも大となるように設定し、前記吸引口側の空間内を負圧状態にすると共に喫煙空間とし且つ該喫煙空間内の前記箱体周辺を漂う煙草の煙を前記吸引口から直接吸引できるようにしたことを特徴とする。したがって、この特徴によれば、室内をエアーカーテン及びパネルにより区分けし、一方の空間を喫煙空間とし、箱体内設置の一の送風機により、喫煙空間内にある箱体周辺を漂う煙草の煙を直ちに吸引口から直接吸引し、空気清浄機により清浄エアーにしその一部を排気口から喫煙空間外に排出し、この清浄エアー排気量を喫煙空間外からの外部巻込エアー量よりも多く排気口より排出するから、喫煙空間内を負圧状態に保持する。そして、空気溜めにより送風機による乱流を減衰し、吹出口から清浄エアーを吹き出してエアーカーテンとする。一方、直ちに吸引口から直接吸引されなかった煙草の煙も、喫煙空間内がエアーカーテン及びパネルで仕切られ負圧状態であるから、結局吸引口から吸引され空気清浄機により清浄エアーにされ、排気口から喫煙空間外に排出される。
【００１１】
請求項２記載の発明は、前記パネルは前記箱体から取り外し自在であることを特徴とする。したがって、この特徴によれば、箱体からパネルを外せるから、運搬し易い。
【００１２】
請求項３記載の発明は、前記パネルは分割可能であることを特徴とする。したがって、この特徴によれば、箱体から外したパネルを更に分割できるから、更に運搬し易くなる。
【００１３】
請求項４記載の発明は、前記パネルの上部及び側部に前記吹出口を設けてなることを特徴とする。したがって、この特徴によれば、パネルの上部及び側部の吹出口から形成されたエアーカーテン及びパネルにより、喫煙空間内外を仕切るからエアーカーテンで仕切られていない部分が減り、その分喫煙空間外からの外部巻込エアー量が減り、喫煙空間内の負圧状態が安定し、煙が喫煙空間外に漏れることが無くなる。
【００１４】
請求項５記載の発明は、前記送風機及び空気清浄機の下流側と前記排気口及び前記吹出口との間の前記箱体内に空気溜めを設け、該空気溜めの下流部にて前記排気口と前記吹出口とに清浄エアーを予め定めた比率で振り分けてなることを特徴とする。したがって、この特徴によれば、空気溜めに清浄エアーを一旦貯めるから気流の乱れが緩和して、予め定めた比率で清浄エアーを排気口と吹出口とに振り分けることが出来る。
【００１５】
請求項６記載の発明は、前記空気溜めと前記排気口及び前記吹出口との間に整流板を設けたことを特徴とする。したがって、この特徴によれば、空気溜めで気流の乱れが緩和した清浄エアーを更に整流板に通すから、更に一層予め定めた比率で清浄エアーを排気口と吹出口とに振り分けることが出来る。
【００１６】
請求項７記載の発明は、前記整流板は脱臭フィルターであることを特徴とする。したがって、この特徴によれば、脱臭フィルターに未脱臭の清浄エアーを通すことで、整流と脱臭とを兼ねることが可能になる。
【００１７】
請求項８記載の発明は、前記空気溜め内にマイナスイオン発生機を着脱自在に設けてなることを特徴とする。したがって、この特徴によれば、マイナスイオン発生機を必要に応じて着脱出来、マイナスイオンの効果を適宜享受できる。
【００１８】
請求項９記載の発明は、前記吹出口にエアーカーテンのリード板を設けたことを特徴とする。したがって、この特徴によれば、喫煙者がパネルの吹出口を手や肘で塞ぐ行為を未然に防ぎ、更に、リード板によりパネルの吹出口から形成されたエアーカーテンが安定し、かつリード板自体及び安定したエアーカーテン並びにパネルにより喫煙空間内外を仕切るから、その分喫煙空間内外の仕切りが確実となり、喫煙空間外からの外部巻込エアー量が減り、喫煙空間内の負圧状態が安定し、煙が喫煙空間外に漏れることが少なくなる。
【００１９】
請求項１０記載の発明は、前記リード板は透明であることを特徴とする。したがって、この特徴によれば、喫煙空間内外の仕切り性を確保すると共に、喫煙空間内の閉鎖感を緩和する。
【００２０】
請求項１１記載の発明は、前記機械本体の吸引口の上方に遮蔽板を設けたことを特徴とする。したがって、この特徴によれば、遮蔽板により吹出口からのエアーカーテンに対する相互干渉を緩和すると共に、吸引口の水平方向の直接吸引の範囲を広げる。
【００２１】
請求項１２記載の発明は、前記機械本体の吸引口上に竜巻式吸引装置を着脱自在に設けてなり、該竜巻式吸引装置は、筒体の側壁に切欠口を設けると共に、筒体の長手方向端部の少なくとも一方に吸引孔を設け、該吸引孔を前記送風機のサクション側に接続してなることを特徴とする。したがって、この特徴によれば、筒体内で発生した竜巻により、吹出口からのエアーカーテンに対する相互干渉をしない範囲での、吸引口の直接吸引の範囲を最大限に広げることを可能にする。
【００２２】
請求項１３記載の発明は、前記機械本体は移動自在であることを特徴とする。したがって、この特徴によれば、室内のあらゆる所に簡単に移動して、喫煙空間を創設出来るし、喫煙者同士も他人の煙を吸うことがほとんどなくなる。
【００２３】
請求項１４記載の発明は、前記吹出口は形成するエアーカーテンの方向を可変としたことを特徴とする。したがって、この特徴によれば、室内における設置状況に応じてエアーカーテンの方向を変え、より適切な喫煙空間を創設出来る。
【００２４】
【発明の実施の形態】
以下、本発明の実施の形態を図１〜１３に基づいて詳述する。
図１は本発明の実施の形態である気流制御型分煙機を示す正面から見た断面図、図２はこの気流制御型分煙機の側面から見た断面図、図３はこの気流制御型分煙機の裏面図である。図面において、１は気流制御型分煙機を示し、この気流制御型分煙機１は、機械本体２を含み、この機械本体２は、箱体３の側部にパネル４を連通状態で取り付けた形状であり、このパネル４にこれと共に室内Ａを区分けするためのエアーカーテン５を形成する吹出口６を設け、箱体３上部にエアーカーテン５により区分けした一方の空間に位置させた吸引口７を設けると共に他方の空間に位置させた排気口８をパネル４に設け、箱体３内に送風機９及び空気清浄機１０を設け且つ送風機９の下流側に乱流減衰用の空気溜め３ｂを設けてなり、吸引口７を内側にして室内Ａの一部を囲う形に１以上の機械本体２を配置し、空気溜め３ｂにて送風機９による乱流を減衰して吹出口６から均一なエアーカーテン５を形成すると共に、排気口８からの清浄エアー排気量を少なくとも他方の空間からの外部巻込エアー量Ｑよりも大となるように設定し、吸引口７側の空間内を負圧状態にすると共に喫煙空間１１とし且つこの喫煙空間１１内の箱体３周辺を漂う煙草の煙を吸引口７から直接吸引できるようにしたものである。
【００２５】
前記機械本体２は、箱体３上に設けた天板２０を含み、箱体３下面にキャスター２１が設けられ、自在に移動出来るようになっている。パネル４は、中パネル４ａ、右パネル４ｂ、左パネル４ｃの３分割構成となっているから、折り畳み可能かつ３分割可能である。パネル４の内部は中空構造となり、その上面及び側面には前記吹出口６が設けられている。そして、空気清浄機１０からの清浄エアーは、パネル４内に受け入れられ、パネル４内を通路とし吹出口６から吹き出され、エアーカーテン５が上方及び左右の側方に形成される。したがって、機械本体２を設置した室内Ａは、機械本体２及び上記エアーカーテン５を境として気流制御的に区分けされ、吸引口７側の喫煙空間１１と排気口８側の非喫煙空間１２とに分けられる。
【００２６】
前記吸引口７は、箱体３上の天板２０に設けられ、その上方に遮蔽板２１が設けられている。この遮蔽板２１と天板２０との間にネット状物２２が介在し、吸引口７内に異物が入らないようにしている。遮蔽板２１は、そのスペースの有効利用と、天板２０近傍に漂う煙草の煙をすばやく吸引口７に導くためと、前記吹出口６から吹き出したエアーカーテン５との相互干渉、すなわち、エアーカーテン５により煙草の煙を誘引しづらくするためと、である。したがって、エアーカーテン５により煙草の煙を誘引するのを遮断する観点から、吸引口７と吹出口６との距離を充分離すようにするのが良い。なお、吸引口７と吹出口６との距離を充分離せば、吸引口７にネット状物２２を直接張り、遮蔽板２１を設けなくても差し支えない。
【００２７】
前記機械本体２の箱体３内は仕切り板２３により上部のファン室３ａと下部の空気溜め３ｂとに分けられ、これらは吐出し口２３ａにより連通している。ファン室３ａには、送風機９及び空気清浄機１０のうちプレフィルター２４及び電気集塵機２５が設けられている。空気溜め３ｂは、送風機９からの乱流状態のエアーを一旦滞留させ、その乱流状態を緩和させるためのもので、緩和さたエアーは出口２６からパネル４の中パネル４ａ内に送られる。なお、送風機９は必要な容量及び圧力の条件が満たせば特に限定されない。
【００２８】
空気清浄機１０は、ある一定の性能をクリアーするものであれば特に限定がないが、この実施例では吸引口７の下面に取り付けられ、汚染エアー中の比較的大きな粒子を除去するプレフィルター２４と、プレフィルター２４通過後の微粒子を除去する電気集塵機２５と、空気溜め３ｂの出口２６に取り付けられ、臭気成分を除去する脱臭フィルター２７との３部構成となっている。この脱臭フィルター２７は、均質な編み目状をなし、通過するエアーは臭気成分を除去すると共に、エアーの流れを整流化する機能を有するものが選択される。このようにすると、脱臭及び整流を一度で出来都合がよい。なお、脱臭フィルター２７を電気集塵機２５の下流に取り付け、出口２６に別に整流板を設けても良い。また、電気集塵機２５の代わりに、脱臭機能を併せ持つ高性能なメカニカルフィルターを用いてもよい。また、空気溜め３ｂ内にはマイナスイオン発生機２８が着脱自在に設けられ、空気溜め３ｂは乱流状態のエアーを一旦滞留させるから、充分な容積を有し、滞留時間も取れマイナスイオンの有する特性、例えば、脱臭、除菌、集塵などの空気の浄化作用並びに健康、体質改善などを享受出来る。したがって、空気溜め３ｂの容量を損なわない範囲であれば、マイナスイオン発生機２８以外の機器を設置しても良い。
【００２９】
前記排気口８は、エアーカーテン５により気流制御的に区分けされた前記非喫煙空間１２に位置している。この排気口８は、吸引口７から吸引され前記空気清浄機１０により清浄化されたエアーの一部が排気される。すなわち、空気溜め３ｂの出口２６から出た清浄エアーは、図２、４に示すように、仕切り板３０により排気口８側に向かうのと、吹出口６側に向かうのとに分かれる。この仕切り板３０は、清浄エアーを予め設定した比率で振り分けるものであるから、出口２６の位置に設けられる。排気口８に向かった清浄エアーは、中パネル４ａ、右パネル４ｂ及び左パネル４ｃのそれぞれに設けられた排気口８ａ、８ｂ及び８ｃから非喫煙空間１２に排出される。また、吹出口６に向かった清浄エアーは、中パネル４ａ、右パネル４ｂ及び左パネル４ｃにそれぞれに設けられた吹出口６から吹き出せれ、エアーカーテン５を形成する。なお、図４中、３１、３２は中パネル４ａの仕切り板３０により排気口８側と吹出口６側とに分けられた清浄エアーが右パネル４ｂ内及び左パネル４内ｃで再び合流しないための、仕切り板である。また、３３はエアーカーテン５となる清浄エアーを２分割するための仕切り板である。
【００３０】
吹出口６は、中パネル４ａ、右パネル４ｂ及び左パネル４ｃの上部にそれぞれ設けられたものと、右パネル４ｂ及び左パネル４ｃの側部に設けられたものとがある。上部の吹出口６には、透明のリード板３４が設けられ、エアーカーテン５の流れをガイドし、かつ喫煙者が上部の吹出口６に手や肘を置いて塞がないようにするためである。リード板３４を透明にしたのは、見通しを良くして閉鎖感を無くすためである。なお、リード板３４の先端部分を喫煙空間１１側に湾曲させているのは、エアーカーテン５が喫煙空間１１側に湾曲して、その流れにより煙を喫煙空間１１側に誘引出来、更に喫煙空間１１としてさほど必要のない天井に近い空間を削減出来て都合が良いからである。
【００３１】
そして、右パネル４ｂ及び左パネル４ｃの側部の吹出口６は、エアーカーテン５の方向を定める風向切替え器３５により、どの方向にも変えられるようにしても良い。この実施例の風向切替え器３５は、図５に示すように、直線通路３６にこれに対して角度αを有し喫煙空間１１側に向いた分岐通路３７を設け、これらの分岐点に切替え板３８を設けてなるものである。したがって、エアーカーテン５の吹出方向は、設置の条件により切替え板３８を操作して、直線通路３６あるいは分岐通路３７を選択することが出来る。分岐通路３７を選択すると、エアーカーテン５が喫煙空間１１側に湾曲して、その流れにより煙を喫煙空間１１側に誘引出来、更に喫煙空間１１としてさほど必要のない空間を削減出来て都合が良い。なお、直線通路３６の吹出口６のみでも良いことは、言うまでも無く、かつ直線通路３６の吹出口６に、上記と同じように透明のリード板３９を設けても良く、その設置の理由もリード板３４の場合と同様である。
【００３２】
次に、上記構成になる気流制御型分煙機１を使用して、室内Ａの一角を喫煙空間１１と非喫煙空間１２とに区分する方法について述べる。
図６は気流制御型分煙機１を使用した最も簡単な喫煙空間１１と非喫煙空間１２とに区分する方法を示すもので、この室内Ａの一角は、直角に交わる壁４０、４１、４２で囲まれているから、気流制御型分煙機１をそのパネル４で仕切るように設置し、長方形の喫煙空間１１を創設する。この際、壁４０、４１、４２側に吸引口７を向け、壁４０、４１、４２の無い方に排気口８を向けて、気流制御型分煙機１を設置する。また、図７は気流制御型分煙機１を直角に交わる壁４０、４１に対して４５度斜めに設置し、直角三角形の喫煙空間１１を創設し、図８は気流制御型分煙機１を２台Ｌ字状に設置し、矩形の喫煙空間１１を創設するものである。
【００３３】
そして、図１、２、６〜８において、気流制御型分煙機１の送風機９を作動させると、吹出口６からエアーが吹き出て、エアーカーテン５を形成してそれを境に室内Ａを喫煙空間１１と非喫煙空間１２とに区分する。喫煙空間１１内の喫煙者から出た煙草の煙は、他の喫煙者に影響を与えないで直ちに捕捉されて、エアーと共に吸引口７へ吸引されて、空気清浄機１０により清浄化され、空気溜め３ｂで一旦貯留されて、乱流状態を緩和される。その後、整流板を兼ねる脱臭フィルター２７により脱臭かつ整流されて、清浄エアーは仕切り板３０により所定比率で振り分けられ、一部は排気口８から非喫煙空間１２に排出され、残りは上部及び側部に設けられた吹出口６から吹き出され、清浄エアーによるエアーカーテン５となる。上部吹出口６にリード板３４がある場合はガイドされ、安定しかつ先端が湾曲していれば、湾曲したエアーカーテン５によりこれを破ろうとする煙を喫煙空間１１側に誘引して非喫煙空間１２に出さない。また、側部吹出口６にリード板３９がある場合も、上記と同様な作用をし、風向切替え器３５の切替え板３８を操作して、分岐通路３７を選択しても、上記と同様な作用をする。
【００３４】
一方、捕捉されなかった煙草の煙は、喫煙空間１１内を漂うが、排気口８からの清浄エアー排気量が、非喫煙空間１２による外部巻込エアー量Ｑよりも大に設定してあるから、喫煙空間１１が負圧状態となって、喫煙空間１１内を漂う煙は非喫煙空間１２に出ることなく、最終的に上述のように吸引口７へエアーと共に吸引されて、上記と同様にして、清浄化され清浄エアーとして、非喫煙空間１２に排出されるか、あるいは再びエアーカーテン５となる。
【００３５】
図９〜１１は本発明の他の実施形態を示す気流制御型分煙機１ａであり、この気流制御型分煙機１ａと図１〜８の実施形態との相違点は、吸引口７の上方にある遮蔽板２１及びネット状物２２の代わりに、竜巻式吸引装置５０を吸引口７上に設けた点にある。
【００３６】
この竜巻式吸引装置５０は、筒体５１の側壁５２に切欠口５３を設けると共に、筒体５１の長手方向端部の少なくとも一方に吸引孔５４を設け、この吸引孔５４を天板２０の吸引口７を通して送風機９のサクション側に接続してなる。この吸引孔５４は側板５５に明けられ、この吸引孔５４を覆う側部カバー５６が側板５５に取り付けられ、さらに、筒体５１の上方を覆うように上部カバー５７が取り付けられ、この上部カバー５７と筒体５１の切欠口５３とに沿った隙間を吸引開口５８とし、この吸引開口５８も上記吸引口７を通して送風機９のサクション側に接続している。
【００３７】
したがって、送風機９が作動すると、竜巻式吸引装置５０の吸引開口５８及び吸引孔５４からエアーを吸引するから、吸引開口５８にエアーが入る共に切欠口５３から筒体５１内に入り、エアーの流れと側壁５２との間に不連続面が出来、小さな渦５９が多数発生する。多数発生した小さな渦５９の軸方向から、すなわち、吸引孔５４からエアーを吸引してやると、多数発生した渦５９のエネルギーを収束し、竜巻ｔのコアを形成し、このコアの回りを自由渦が旋回して、エアーを吸引孔５４に向かう竜巻ｔとし、ここに竜巻ｔを人工的に発生させるのである。すなわち、筒体５１内の長手方向全体に伸びた竜巻ｔが発生しているから、竜巻ｔが有する渦収束力でより広い範囲の煙草の煙をエアーと共に吸引するのである。その他の構成、作用は図１〜８の実施形態と同様なので図面に符号を付してその説明を省略する。
【００３８】
図１２は他の実施形態を示す竜巻式吸引装置５０ａであり、この竜巻式吸引装置５０ａと図９〜１１に示す実施形態との相違点は、筒体５１に近在する吸引開口５８が切欠口５３の下にあり、上部カバー５７の代わりにわずかに湾曲したガイド板６０が切欠口５３の下方に設けられて、竜巻ｔが逆回転になる点にある。その他の構成、作用は図９〜１１の実施形態と同様なので図面に符号を付してその説明を省略する。
【００３９】
図１３は他の実施形態を示す竜巻式吸引装置５０ｂであり、この竜巻式吸引装置５０ｂと図９〜１１に示す実施形態との相違点は、筒体５１の長手方向両端にある側板５５に近在した筒体５１の側壁５２に、吸引孔５４ａが明けられ、そのために側部カバー５６が無い点にある。その他の構成、作用は図９〜１１の実施形態と同様なので図面に符号を付してその説明を省略する。
【００４０】
なお、パネル４に設置板７０を設け、この設置板７０に広告などの掲示物７１を設置できるようにすれば、設置場所によっては広告料を取れる可能性がある。
【００４１】
以上、本発明の実施形態を説明したが、具体的な構成はこれに限定されず、本発明の要旨を逸脱しない範囲内での変更、追加は本発明の範囲内である。
【００４２】
【発明の効果】
以上詳述したように、本発明の気流制御型分煙機によれば、以下のような効果がある。
請求項１の発明は、室内をエアーカーテン及びパネルにより区分けし、一方の空間を喫煙空間とし、箱体内設置の一の送風機により、喫煙空間内にある箱体周辺を漂う煙草の煙を直ちに吸引口から直接吸引し、空気清浄機により清浄エアーにしその一部を排気口から喫煙空間外に排出し、この清浄エアー排気量を喫煙空間外からの外部巻込エアー量よりも多く排気口より排出するから、喫煙空間内を負圧状態に保持する。そして、空気溜めにより送風機による乱流を減衰し、吹出口から清浄エアーを吹き出してエアーカーテンとする。一方、直ちに吸引口から直接吸引されなかった煙草の煙も、喫煙空間内がエアーカーテン及びパネルで仕切られ負圧状態であるから、結局吸引口から吸引され空気清浄機により清浄エアーにされ、排気口から喫煙空間外に排出される。したがって、箱体内設置の一の送風機により、喫煙空間内の箱体周辺を漂う煙草の煙を吸引口からすぐにダイレクト吸引でき、空気溜めにて上記送風機による乱流を減衰し、パネルの吹出口からの清浄エアーによるエアーカーテンを形成できて、喫煙者といえども他人が吐き出した煙を浴びたくないという願望を満たし、その上、吸引口により直接吸引できなかった煙は、負圧状態の安定した喫煙空間から外部に漏れず、最終的に吸引口から吸引されて空気清浄機により清浄化され、室内に戻され循環される、という効果がある。
【００４３】
請求項２の発明は、箱体からパネルを外せるから、運搬する際梱包し易く、積み込み積み卸し、搬入もし易くなる。
【００４４】
請求項３の発明は、箱体から外したパネルを更に分割できるから、更に運搬し易くなる。
【００４５】
請求項４の発明は、パネルの上部及び側部の吹出口から形成されたエアーカーテン及びパネルにより、喫煙空間内外を仕切るからエアーカーテンで仕切られていない部分が減り、その分喫煙空間外からの外部巻込エアー量が減り、喫煙空間内の負圧状態が安定し、煙が喫煙空間外に漏れることが無くなる。したがって、上記効果をなお一層高めることが出来る。
【００４６】
請求項５の発明は、空気溜めに清浄エアーを一旦貯めるから気流の乱れが緩和して、予め定めた比率で清浄エアーを排気口と吹出口とに振り分けることが出来る。したがって、清浄エアーをパネルの吹出口から吹き出して、流速が均一化した清浄エアーによるエアーカーテンとすることが可能となる。
【００４７】
請求項６の発明は、空気溜めで気流の乱れが緩和した清浄エアーを更に整流板に通すから、更に一層予め定めた比率で清浄エアーを排気口と吹出口とに振り分けることが出来る。したがって、更に、上記流速が均一化した清浄エアーによるエアーカーテンを得ることが出来る。
【００４８】
請求項７の発明は、脱臭フィルターに未脱臭の清浄エアーを通すことで、整流と脱臭とを兼ねることが可能になる。したがって、整流板が必要なくなり、その分構造が簡易となり、イニシャル、ランニングいずれのコストも削減出来る。
【００４９】
請求項８の発明は、マイナスイオン発生機を必要に応じて着脱出来、マイナスイオンの効果を適宜享受できる。したがって、空気溜めのスペースを有効に活用でき、商品の差別化が顕著となる。
【００５０】
請求項９の発明は、喫煙者がパネルの吹出口を手や肘で塞ぐ行為を未然に防ぎ、更に、リード板によりパネルの吹出口から形成されたエアーカーテンが安定し、かつリード板自体及び安定したエアーカーテン並びにパネルにより喫煙空間内外を仕切るから、その分喫煙空間内外の仕切りが確実となり、喫煙空間外からの外部巻込エアー量が減り、喫煙空間内の負圧状態が安定し、煙が喫煙空間外に漏れることが少なくなる。したがって、上記した非喫煙空間への煙草の煙の侵入阻止が確実となり、既に述べた効果をより強く出来る。
【００５１】
請求項１０の発明は、喫煙空間内外の仕切り性を確保すると共に、喫煙空間内の閉鎖感を緩和する。したがって、仕切り性を確保しているのに、閉鎖感ないと言う相反する目的を達成している。
【００５２】
請求項１１の発明は、遮蔽板により吹出口からのエアーカーテンに対する相互干渉を緩和すると共に、吸引口の水平方向の直接吸引の範囲を広げる。したがって、簡単な構造のものでありながら、喫煙空間内で喫煙者同士が互いに他人が吐き出した煙草の煙を吸うことがほとんどなくなる。
【００５３】
請求項１２の発明は、筒体内で発生した竜巻により、吹出口からのエアーカーテンに対する相互干渉をしない範囲での、吸引口の直接吸引の範囲を最大限に広げることを可能にする。したがって、喫煙者も他人が吐いた煙草の煙を吸いたくないという、希望をより一層叶えることが出来る。
【００５４】
請求項１３の発明は、室内のあらゆる所に簡単に移動して、喫煙空間を創設出来るし、喫煙者同士も他人の煙を吸うことがほとんどなくなる。したがって、非喫煙者も喫煙者も共に他人の煙草の煙を吸う機会がほとんどなくなる。
【００５５】
請求項１４の発明は、室内における設置状況に応じてエアーカーテンの方向を変え、より適切な喫煙空間を創設出来る。したがって、室内をその形状にほとんど制約されずに比較的広い範囲の喫煙空間を創設出来、しかもその喫煙空間は煙草の煙がより一層洩れない構造のものとなる。
【図面の簡単な説明】
【図１】本発明の実施の形態である気流制御型分煙機を示す正面から見た断面図。
【図２】本発明の実施の形態である気流制御型分煙機の側面から見た断面図。
【図３】本発明の実施の形態である気流制御型分煙機の裏面図。
【図４】本発明の実施の形態である気流制御型分煙機のパネルを示す断面図。
【図５】本発明の実施の形態である気流制御型分煙機の風向切替え器を示す断面図。
【図６】本発明の実施の形態である気流制御型分煙機の設置状態を示す平面図。
【図７】本発明の実施の形態である気流制御型分煙機の他の設置状態を示す平面図。
【図８】本発明の実施の形態である気流制御型分煙機の他の設置状態を示す平面図。
【図９】本発明の他の実施の形態である気流制御型分煙機の側面から見た断面図。
【図１０】図９の竜巻式吸引装置の軸方向の断面図。
【図１１】図９の竜巻式吸引装置の径方向の断面図。
【図１２】本発明の他の実施の形態である竜巻式吸引装置の径方向の断面図。
【図１３】本発明の他の実施の形態である竜巻式吸引装置の軸方向の断面図。
【図１４】従来例を示す断面図。
【図１５】従来例を示す斜視図。
【図１６】従来例を示す斜視図。
【符号の説明】
１、１ａ                気流制御型分煙機
２                      機械本体
３                      箱体
３ａ                    ファン室
３ｂ                    空気溜め
４                      パネル
４ａ                    中パネル
４ｂ                    右パネル
４ｃ                    左パネル
５、ｇ                  エアーカーテン
６、ｃ                  吹出口
７、ｄ、ｎ              吸引口
８、８ａ、８ｂ、８ｃ、ｍ    排気口
９、ｂ                  送風機
１０                    空気清浄機
１１、ｉ                喫煙空間
１２                    非体喫煙空間
１３                    キャスター
２０                    天板
２１、ｏ                遮蔽板
２２                    ネット状物
２３、３０、３１、３２、３３    仕切り板
２３ａ                  吐出し口
２４                    プレフィルター
２５                    電気集塵機
２６                    出口
２７                    脱臭フィルター
２８                    マイナスイオン発生機
３４、３９              リード板
３５                    風向切替え器
３６                    直線通路
３７                    分岐通路
３８                    切替え板
４０、４１、４２        壁
５０、５０ａ、５０ｂ    竜巻式吸引装置
５１                    筒体
５２                    側壁
５３                    切欠口
５４、５４ａ            吸引孔
５５                    側板
５６                    側部カバー
５７                    上部カバー
５８                    吸引開口
５９                    渦
６０                    ガイド板
７０                    設置板
７１                    掲示物
Ａ                      室内
ａ                      つい立て
ｅ                      天井
ｆ                      吸引ファン
ｈ                      床
ｊ                      天井部
ｋ                      喫煙カウンター
ｌ                      カウンター本体
ｐ                      支柱
Ｑ                      外部巻込エアー量
【図１】
0003627175.tif 000002
【図２】
0003627175.tif 000003
【図３】
0003627175.tif 000004
【図４】
0003627175.tif 000005
【図５】
0003627175.tif 000006
【図６】
0003627175.tif 000007
【図７】
0003627175.tif 000008
【図８】
0003627175.tif 000009
【図９】
0003627175.tif 000010
【図１０】
0003627175.tif 000011
【図１１】
0003627175.tif 000012
【図１２】
0003627175.tif 000013
【図１３】
0003627175.tif 000014
【図１４】
0003627175.tif 000015
【図１５】
0003627175.tif 000016
【図１６】
0003627175.tif 000017